(57)【要約】【課題】他機に設けられた負荷によって変化する電源の電圧により他機の動作を判定する。【解決手段】電子機器は、電子装置に設けられた負荷に電力を供給する電源の電圧値を検知する電圧検知部と、前記負荷が駆動していない状態または前記負荷に一定の電圧を印加した状態における前記電源の複数の電圧値が予め定められた規定値内か否かに応じて、電子装置以外の装置である他機の動作を判定する制御部と、を備える。【選択図】図３
2017009851.tif 000002
【特許請求の範囲】
【請求項１】
電子装置に設けられた負荷に電力を供給する電源の電圧値を検知する電圧検知部と、
前記負荷が駆動していない状態または前記負荷に一定の電圧を印加した状態における前記電源の複数の電圧値に関する値が予め定められた規定値内か否かに応じて、前記電子装置以外の装置である他機の動作を判定する制御部と、
を備える電子機器。
【請求項２】
前記制御部は、前記電圧値に関する値が前記規定値内か否かに応じて、前記負荷に印加する電圧に関する設定を予め定められたパラメータから設定する
請求項１に記載の電子機器。
【請求項３】
前記制御部は、前記電圧値に関する値が規定値内でない場合、前記電子装置の動作を実行させない
請求項１に記載の電子機器。
【請求項４】
前記制御部は、前記電圧値に関する値が規定値内でない場合、前記負荷を駆動させる動作を実行させない
請求項１に記載の電子機器。
【請求項５】
前記制御部は、前記電圧値に関する値が前記規定値内か否か、及び、予め定められた第２規定値内か否かに応じて、前記負荷に印加する電圧に関する設定を予め定められたパラメータから設定する
請求項１または４に記載の電子機器。
【請求項６】
前記負荷である定着器と、
前記定着器を制御する請求項１から５のいずれか１項に記載の電子機器と、
を備える画像形成装置。
【発明の詳細な説明】
【技術分野】
【０００１】
本発明は、電子機器及び画像形成装置に関する。
【背景技術】
【０００２】
定着器等の負荷を備えた画像形成装置及びその電子機器において、外部電源の電圧の変化に対応する技術が知られている。例えば、負荷に電圧を印加している状態と印加していない状態における外部電源の電圧の差を検出して、当該電圧差の大きさによって所要の表示をパネルに出力する技術が知られている。
【発明の概要】
【発明が解決しようとする課題】
【０００３】
しかしながら、上述の技術では、自機に設けられた負荷による外部電源の電圧の変化は検出できるが、他機に設けられた負荷によって変化する電源の電圧に基づいて他機の動作を判定できないといった課題がある。
【０００４】
本発明は、上記に鑑みてなされたものであって、他機に設けられた負荷によって変化する電源の電圧により他機の動作を判定できる電子機器を提供することを目的とする。
【課題を解決するための手段】
【０００５】
上述した課題を解決し、目的を達成するために、本発明の電子機器は、電子装置に設けられた負荷に電力を供給する電源の電圧値を検知する電圧検知部と、前記負荷が駆動していない状態または前記負荷に一定の電圧を印加した状態における前記電源の複数の電圧値が予め定められた規定値内か否かに応じて、電子装置以外の装置である他機の動作を判定する制御部と、を備える。
【発明の効果】
【０００６】
本発明にかかる電子機器は、電源の電圧値の変動幅に応じて他機の動作を判定することができるという効果を奏する。
【図面の簡単な説明】
【０００７】
【図１】図１は、第１実施形態の画像形成装置の全体構成図である。
【図２】図２は、画像形成装置の制御系のブロック図である。
【図３】図３は、制御部によって実行される第１実施形態における制御処理のフローチャートである。
【図４】図４は、画像形成装置の定着器の発熱体及び他機に電圧が印加された状態における電圧検知回路によって検知される電圧値の変化を示すグラフである。
【図５】図５は、画像形成装置の定着器の発熱体に電圧が印加された状態における電圧検知回路によって検知される電圧値の変化を示すグラフである。
【図６】図６は、画像形成装置の定着器の発熱体及び他機に電圧が印加された状態における電圧検知回路によって検知される電圧値の変化を示すグラフである。
【図７】図７は、デフォルト制御及び対策制御のＤｕｔｙ比を説明する図である。
【図８】図８は、制御部によって実行される第２実施形態における制御処理のフローチャートである。
【図９】図９は、制御部によって実行される第３実施形態における制御処理のフローチャートである。
【図１０】図１０は、制御部によって実行される第４実施形態における制御処理のフローチャートである。
【発明を実施するための形態】
【０００８】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００９】
＜第１実施形態＞
図１は、第１実施形態の画像形成装置１０の全体構成図である。画像形成装置１０は、電子装置の一例である。画像形成装置１０の一例は、デジタル複合機である。画像形成装置１０は、複写機能、印刷機能及びファクシミリ機能等を有する。画像形成装置１０は、アプリケーション切り替えキー等を有する操作部によって、複写機能を実行する複写モード、印刷機能を実行する印刷モード、及び、ファクシミリ機能を実行するファクシミリモードを切替可能に構成されている。図１に示すように、画像形成装置１０は、自動原稿送り部１２と、画像読み取り部１４と、書き込み部１６と、印刷部１８とを備える。
【００１０】
自動原稿送り部１２は、いわゆるＡＤＦ（Auto  Document  Feeder）である。自動原稿送り部１２は、複写用またはスキャン用の画像等が印刷された原稿束の原稿を１枚ずつ画像読み取り部１４へ給紙する。
【００１１】
画像読み取り部１４は、自動原稿送り部１２から給紙された原稿の画像を読み取り、画像情報を生成する。画像読み取り部１４は、生成した画像情報を書き込み部１６へ出力する。
【００１２】
書き込み部１６は、画像読み取り部１４から取得した画像情報を光情報に変換する。書き込み部１６は、変換した光情報を印刷部１８へ出力する。
【００１３】
印刷部１８は、書き込み部１６から取得した光情報に基づいて、画像を印刷用紙に印刷する。印刷部１８は、給紙部２２と、搬送部２４と、現像部２６と、感光体ドラム２８と、負荷の一例である定着器３０と、排紙部３２とを備える。
【００１４】
給紙部２２は、搬送部２４へ供給する印刷用紙を収納する。例えば、給紙部２２は、複数の用紙トレイを有する。各用紙トレイは、用紙サイズ及び紙質等の種類が互いに異なる印刷用紙を収納する。
【００１５】
搬送部２４は、複数の搬送ローラ３４及び搬送ベルト３６を有する。搬送部２４は、給紙部２２に収容された印刷用紙を、現像部２６、感光体ドラム２８及び定着器３０等を経由させて排紙部３２へと搬送する。
【００１６】
現像部２６は、感光体ドラム２８の表面に生成された静電潜像を現像してトナー像を生成する。
【００１７】
感光体ドラム２８は、帯電器によって表面が一様に帯電された後に、書き込み部１６から取得した光情報で露光されて静電潜像を表面に生成する。感光体ドラム２８は、搬送部２４の搬送ベルト３６によって搬送されている印刷用紙に、生成されたトナー像を転写する。
【００１８】
定着器３０は、現像部２６及び感光体ドラム２８よりも印刷経路の下位側、即ち、排紙部３２側に配置されている。定着器３０は、現像部２６及び感光体ドラム２８によって印刷用紙に転写されたトナー像を熱により定着させる。
【００１９】
図２は、画像形成装置１０の制御系のブロック図である。図２に示すように、画像形成装置１０は、定着器３０の発熱体３８と、制御装置４０と、ＰＳＵ４２とを更に備える。制御装置４０及びＰＳＵ４２が電子機器の一例である。
【００２０】
発熱体３８は、現像部２６によって現像されたトナーを印刷用紙に定着させるために発熱する。発熱体３８の一例は、ハロゲンヒータである。
【００２１】
制御装置４０は、画像形成装置１０の制御全般を司る。制御装置４０は、例えば、定着器３０を制御する。制御装置４０は、制御部４６と、ＲＯＭ４８と、ＲＡＭ５０と、制御基板５２とを有する。
【００２２】
制御部４６は、パラメータ等に基づいてプログラムを実行するＣＰＵ等の演算処理装置である。制御部４６は、例えば、ＲＯＭ４８等に記憶されているプログラムを読み込んで実行する。制御部４６が実行するプログラムの一例は、定着器３０の電圧制御用のプログラムである。制御部４６は、定着器３０の電圧制御用プログラムを実行することにより、定着器３０に印加する電圧の通電パターンを決定する。制御部４６は、ＰＳＵ４２に通電パターンに基づくＯＮ／ＯＦＦ信号を出力することにより、定着器３０へ供給する電圧を制御する。
【００２３】
例えば、制御部４６は、定着器３０が駆動していない状態、または、定着器３０に一定の電圧を印加した状態における外部電源９０の複数の電圧値に関する値が予め定められた規定値内か否かに応じて、画像形成装置１０の以外の装置である他機の動作を判定する。制御部４６は、他機の動作の判定結果に応じて、定着器３０を制御する。
【００２４】
ＲＯＭ４８は、不揮発性の記憶媒体である。ＲＯＭ４８は、例えば、制御部４６が実行するプログラム及びプログラムの実行に必要なパラメータを記憶する。
【００２５】
ＲＡＭ５０は、ＲＯＭ４８よりも読み出し及び書き込みが速い揮発性の記憶媒体である。ＲＡＭ５０は、例えば、制御部４６がプログラムを実行する場合に、プログラム及びプログラムに必要なパラメータを一時的に記憶する。
【００２６】
制御基板５２は、制御部４６、ＲＯＭ４８及びＲＡＭ５０を保持して、信号を送受信可能に電気的に接続する。
【００２７】
ＰＳＵ４２は、外部電源９０と接続されている。ＰＳＵ４２は、外部電源９０から受けた電力の電圧を制御して、画像形成装置１０の各構成に供給する。例えば、ＰＳＵ４２は、定着器３０へ供給する電圧を制御する。ＰＳＵ４２は、定着器制御回路５６と、電圧検知回路５８とを有する。
【００２８】
定着器制御回路５６は、制御部４６と情報を送受信可能に接続されている。定着器制御回路５６は、電圧検知回路５８を介して、外部電源９０と接続されている。これにより、定着器制御回路５６には、外部電源９０から電力が供給される。定着器制御回路５６は、制御部４６から取得した通電パターンに基づくＯＮ／ＯＦＦ信号に基づいて、外部電源９０から供給された電力の電圧を制御して、定着器３０へ出力する。
【００２９】
電圧検知回路５８は、制御部４６と情報を送受信可能に接続されている。電圧検知回路５８は、外部電源９０と定着器制御回路５６との間に接続されている。即ち、電圧検知回路５８は、定着器制御回路５６よりも外部電源９０側に接続されている。これにより、電圧検知回路５８は、定着器３０に電力を供給する外部電源９０の電圧値を検知する。電圧検知回路５８は、検知した電圧値を制御部４６へ出力する。
【００３０】
図３は、制御部４６によって実行される第１実施形態における制御処理のフローチャートである。制御部４６は、制御処理用プログラムを読み込むことによって、制御処理を実行する。
【００３１】
図３に示すように、制御処理が開始すると、制御部４６は、定着器３０をＯＦＦ状態にする（Ｓ１００）。次に、制御部４６は、電圧検知回路５８から電圧値Ｖ０ｘ（ｘ＝１、２、３、、、）を読み込み（Ｓ１１０）、当該電圧値Ｖ０ｘをＲＡＭ５０に格納する（Ｓ１２０）。
【００３２】
制御部４６は、予め定められた第１規定時間毎に、定着器３０の発熱体３８に供給される電圧のＤｕｔｙ比が０％か否かを判定する（Ｓ１３０）。制御部４６は、Ｄｕｔｙ比が０％でないと判定すると（Ｓ１３０：Ｎｏ）、ＲＡＭ５０に格納した最新の電圧値Ｖ０ｘを破棄して（Ｓ１４５）、再度ステップＳ１１０以降を繰り返す。換言すれば、制御部４６は、発熱体３８に供給される電圧が一定の場合の電圧値Ｖ０ｘを格納する。制御部４６は、Ｄｕｔｙ比が０％と判定すると（Ｓ１３０：Ｙｅｓ）、電圧値Ｖ０ｘをｎ個格納したか否かを判定する（Ｓ１４０）。制御部４６は、ｎ個の電圧値Ｖ０ｘをＲＡＭ５０に格納するまで（Ｓ１４０：Ｎｏ）、ステップＳ１１０以降を繰り返す。
【００３３】
制御部４６は、ｎ個の電圧値Ｖ０ｘをＲＡＭ５０に格納したと判定すると（Ｓ１４０：Ｙｅｓ）、ｎ個の電圧値Ｖ０ｘが許容範囲内か否かを判定する（Ｓ１５０）。
【００３４】
図４は、画像形成装置１０の定着器３０の発熱体３８及び他機に電圧が印加された状態における電圧検知回路５８によって検知される電圧値Ｖ０ｘの変化を示すグラフである。尚、他機は、自機である画像形成装置１０と同じ電源に接続され、発熱体を有する画像形成装置とする。
【００３５】
図４に示す例では、自機である画像形成装置１０の発熱体３８の立上げの時間と、他機の発熱体等の負荷の立上げの時間とが、重なっていない。ここで、他機の発熱体等の負荷が動作している時間に電圧検知回路５８によって電圧値Ｖ０ｘが検知されると、いずれかの電圧値Ｖ０ｘは許容範囲外となる。この場合、制御部４６は、ｎ個の電圧値Ｖ０ｘが許容範囲内でないと判定して（Ｓ１５０：Ｎｏ）、ＲＡＭ５０に格納した全ての電圧値Ｖ０ｘを破棄して（Ｓ１５５）、再度ステップＳ１１０以降を繰り返す。
【００３６】
一方、他機の発熱体等の負荷が動作していない時間帯に電圧検知回路５８によって電圧値Ｖ０ｘが検知されると、全ての電圧値Ｖ０ｘが許容範囲内となる。この場合、制御部４６は、ｎ個の電圧値Ｖ０ｘが許容範囲内と判定して（Ｓ１５０：Ｙｅｓ）、定着器３０の発熱体３８がＯＮか否かを判定する（Ｓ１６０）。制御部４６は、発熱体３８がＯＮでないと判定して（Ｓ１６０：Ｎｏ）、かつ、予め定められた第２規定時間を経過するまで（Ｓ１７０：Ｎｏ）、ステップＳ１６０を繰り返す。制御部４６は、発熱体３８がＯＮでないと判定し続けて（Ｓ１６０：Ｎｏ）、第２規定時間が経過したと判定すると（Ｓ１７０：Ｙｅｓ）、ステップＳ１１０以降を繰り返す。
【００３７】
制御部４６は、定着器３０の発熱体３８の立ち上げを開始して、発熱体３８がＯＮになったと判定すると（Ｓ１６０：Ｙｅｓ）、電圧検知回路５８から電圧値Ｖ１ｘを読み込み（Ｓ１８０）、当該電圧値Ｖ１ｘをＲＡＭ５０に格納する（Ｓ１９０）。
【００３８】
制御部４６は、予め定められた第３規定時間毎に、定着器３０の発熱体３８に供給される電圧のＤｕｔｙ比が１００％か否かを判定する（Ｓ２００）。制御部４６は、Ｄｕｔｙ比が１００％でないと判定すると（Ｓ２００：Ｎｏ）、ＲＡＭ５０に格納した最新の電圧値Ｖ１ｘを破棄して（Ｓ２２０）、再度ステップＳ１８０以降を繰り返す。換言すれば、制御部４６は、発熱体３８に供給される電圧が一定の場合の電圧値Ｖ１ｘを格納する。制御部４６は、Ｄｕｔｙ比が１００％と判定すると（Ｓ２００：Ｙｅｓ）、電圧値Ｖ１ｘをｎ個格納したか否かを判定する（Ｓ２１０）。制御部４６は、ｎ個の電圧値Ｖ１ｘをＲＡＭ５０に格納するまで（Ｓ２１０：Ｎｏ）、ステップＳ１８０以降を繰り返す。
【００３９】
制御部４６は、ｎ個の電圧値Ｖ１ｘをＲＡＭ５０に格納したと判定すると（Ｓ２１０：Ｙｅｓ）、ＲＡＭ５０に格納された電圧値Ｖ０ｘ、Ｖ１ｘから、複数の電圧値Ｖ０ｘと複数の電圧値Ｖ１ｘとの差の平均である電圧差ΔＶを算出して、当該電圧差ΔＶが規定値内か否かを判定する（Ｓ２３０）。ここで、規定値は、他機の負荷が動作していない場合における、定着器３０の発熱体３８が動作している場合の電圧差ΔＶの変化よりも大きい値となる。
【００４０】
図５は、画像形成装置１０の定着器３０の発熱体３８に電圧が印加された状態における電圧検知回路５８によって検知される電圧値の変化を示すグラフである。
【００４１】
図５に示すように、画像形成装置１０では、プラグインの状態における定着器３０の発熱体３８の電圧値をＶ０とする。このプラグインの状態からから立上げの状態になると、定着器３０の発熱体３８にＤｕｔｙ比が１００％の電圧値Ｖ１の電圧が印加されて、電流が流れる。これにより、電圧検知回路５８が検出する外部電源９０の電圧値は、Ｖ０からＶ１へと下がる。ここで、図５に示すグラフは、他機に電圧が印加されていない場合である。他機に電圧が印加されていなければ、プラグインの状態であっても、立上げの状態であっても、電圧検知回路５８によって検知される電圧値Ｖ０、Ｖ１が安定することがわかる。従って、制御部４６は、他機が存在しない場合、及び、他機が動作していない場合では、ｎ個の電圧値Ｖ０とｎ個の電圧値Ｖ１との差の平均である電圧差ΔＶが規定値内と判定し（Ｓ２３０：Ｙｅｓ）、電圧環境が良いと判定して（Ｓ２４０）、後述するデフォルト制御に応じて定着器３０の発熱体３８の電圧を制御して（Ｓ２４５）、制御処理を終了する。
【００４２】
図６は、画像形成装置１０の定着器３０の発熱体３８及び他機に電圧が印加された状態における電圧検知回路５８によって検知される電圧値の変化を示すグラフである。
【００４３】
図６に示す例では、自機である画像形成装置１０の発熱体３８の立上げの時間の一部と、他機の発熱体等の負荷の立上げの時間の一部とが、重なっている。従って、図６に示すように、画像形成装置１０の立上げの最初の段階では、他機の負荷に電圧が印加されていないので、電圧検知回路５８によって検知されている電圧値Ｖ１が安定している。一方、画像形成装置１０の立上げの後半の段階では、他機の負荷に電圧が印加されているので、電圧検知回路５８によって検知される電圧値Ｖ１が更に下がる。このように、電圧検知回路５８によって検知される電圧値Ｖ１が自機の発熱体３８のみ駆動している場合に比べて大きく変化する場合、算出された電圧差ΔＶが規定値以上となる。この場合、制御部４６は、電圧差ΔＶが規定値外と判定し（Ｓ２３０：Ｎｏ）、電圧環境が良くないと判定して（Ｓ２５０）、後述する対策制御を実行して（Ｓ２６０）、制御処理を終了する。
【００４４】
図７は、デフォルト制御及び対策制御のＤｕｔｙ比を説明する図である。図７に示すデフォルト制御及び対策制御のＤｕｔｙ比が予め定められたパラメータの一例である。また、Ｄｕｔｙ比が、電圧に関する設定の一例である。制御部４６は、ステップＳ２３０において、電圧差ΔＶが規定値内（例えば、１．５Ｖ未満）であれば、図７に示すデフォルト制御を発熱体３８に対して実行する。即ち、制御部４６は、自機以外の他機が存在していない場合、電圧環境が良いと判定して、予め定められたデフォルト制御のＤｕｔｙ比を発熱体３８への電圧のＤｕｔｙ比として設定する。デフォルト制御のソフトスタートでは、制御部４６は、ＯＦＦの発熱体３８にＤｕｔｙ比が１０％の電圧を２回印加して、２０％の電圧を２回印加して、最後に３０％の電圧を２回印加する。デフォルト制御のソフトストップでは、制御部４６は、ＯＮの発熱体３８に３５％の電圧を２回印加して、２５％の電圧を２回印加して、最後に１５％の電圧を２回印加する。
【００４５】
一方、制御部４６は、ステップＳ２３０において、電圧差ΔＶが規定値外（例えば、１．５Ｖ以上）であれば、図７に示す第１対策制御または第２対策制御を発熱体３８に対して実行する。即ち、制御部４６は、自機以外の他機が存在して、電圧環境が良くないと判定すると、第１対策制御または第２対策制御を実行する。例えば、制御部４６は、規定値内か否か、及び、予め定められた第２規定値内か否かに応じて、電圧に関する設定であるＤｕｔｙ比を設定する。即ち、制御部４６は、複数の規定値に基づいて、複数の対策制御のいずれかを選択して実行する。
【００４６】
制御部４６は、電圧差ΔＶが規定値外（例えば、１．５Ｖ以上）の場合であって、第２規定値内（例えば、３Ｖ未満）の場合、図７に示す第１対策制御を発熱体３８に対して実行する。即ち、制御部４６は、自機以外の他機が存在している場合、電圧環境が良くないと判定すると、予め定められた第１対策制御のＤｕｔｙ比を、発熱体３８への電圧のＤｕｔｙ比として設定する。第１対策制御のソフトスタートでは、制御部４６は、ＯＦＦの発熱体３８に１０％の電圧を４回印加して、２０％の電圧を４回印加して、最後に３０％の電圧を４回印加する。第１対策制御のソフトストップでは、制御部４６は、ＯＮの発熱体３８に３５％の電圧を４回印加して、２５％の電圧を４回印加して、最後に１５％の電圧を４回印加する。
【００４７】
例えば、制御部４６は、電圧差ΔＶが第２規定値外（例えば、３Ｖ以上）であれば、図７に示す第２対策制御を発熱体３８に対して実行する。電圧差ΔＶが第２規定値よりも外れている場合の一例は、複数の他機が存在する場合である。このように、制御部４６は、例えば、自機以外に複数の他機が存在している場合、電圧環境が良くないと判定して、予め定められた第２対策制御のＤｕｔｙ比を発熱体３８への電圧のＤｕｔｙ比として設定する。第２対策制御のソフトスタートでは、制御部４６は、ＯＦＦの発熱体３８に１０％の電圧を６回印加して、２０％の電圧を６回印加して、最後に３０％の電圧を６回印加する。第２対策制御のソフトストップでは、制御部４６は、ＯＮの発熱体３８に３５％の電圧を６回印加して、２５％の電圧を６回印加して、最後に１５％の電圧を６回印加する。
【００４８】
上述したように、画像形成装置１０の制御部４６は、電圧差ΔＶが規定値以上である場合、他機が存在して動作していると判定する。これにより、制御部４６は、他機の存在または動作に応じて、定着器３０の発熱体３８を制御することができる。この結果、制御部４６は、自機の定着器３０の発熱体３８のみならず、他機の負荷による同じ外部電源９０に接続された照明等の電子機器への影響（例えば、フリッカ）を低減できる。
【００４９】
制御部４６では、他機が存在または動作する場合において、複数の規定値に応じて、対策制御を選択して実行している。これにより、制御部４６では、複数の他機が存在している場合等でも、適切に定着器３０の発熱体３８を制御できる。
【００５０】
＜第２実施形態＞
図８は、制御部４６によって実行される第２実施形態における制御処理のフローチャートである。
【００５１】
図８に示すように、動作処理では、制御部４６は、定着器３０の発熱体３８をＯＦＦに設定する（Ｓ３００）。制御部４６は動作要求を受けたか否かを判定する（Ｓ３１０）。動作要求は、例えば、複写及び入力データの印刷を含む印刷動作、スキャン動作、ファクシミリの送受信動作の要求である。制御部４６は動作要求を受けるまで、待機状態となる（Ｓ３１０：Ｎｏ）。制御部４６は、動作要求を受けると（Ｓ３１０：Ｙｅｓ）、発熱体３８をＯＦＦに維持しつつ（Ｓ３２０）、電圧検知回路５８から電圧値Ｖ０ｘを読み込み（Ｓ３３０）、当該電圧値Ｖ０ｘをＲＡＭ５０に格納する（Ｓ３４０）。
【００５２】
制御部４６は、第４規定時間毎に設定時間が経過したか否かを判定する（Ｓ３５０）。制御部４６は、設定時間が経過していないと判定すると（Ｓ３５０：Ｎｏ）、ステップＳ３３０、Ｓ３４０を繰り返す。これにより、制御部４６は、設定時間が経過するまでに、複数の電圧値Ｖ０ｘを読み込んで、格納することになる。
【００５３】
制御部４６は、設定時間が経過したと判定すると（Ｓ３５０：Ｙｅｓ）、格納した電圧値Ｖ０ｘの変動幅が規定値内か否かを判定する（Ｓ３６０）。制御部４６は、電圧値Ｖ０ｘの変動幅が規定値内でないと判定すると（Ｓ３６０：Ｎｏ）、ＲＡＭ５０に格納した電圧値Ｖ０ｘを破棄して（Ｓ３７０）、ステップＳ３２０以降を繰り返す。換言すれば、制御部４６は、他機の負荷が動作して、電圧値Ｖ０ｘの変動幅が規定値内でない場合、受け付けた印刷動作等の動作処理を実行させずに、ステップＳ３２０以降を繰り返す。制御部４６は、電圧値Ｖ０ｘの変動幅が規定値内と判定すると（Ｓ３６０：Ｙｅｓ）、印刷動作等の動作処理を実行する（Ｓ３８０）。換言すれば、制御部４６は、他機の負荷が動作して、電圧値Ｖ０ｘの変動幅が規定値内でない場合、受け付けた印刷動作等の動作処理を実行せずに待機して、他機の動作の負荷が停止した後に、印刷動作等の動作処理を実行して制御処理を終了する。
【００５４】
上述したように第２実施形態の制御部４６は、他機が動作している間は、印刷動作を含む動作処理を実行せずに、他機が動作していない状態でのみ動作処理を実行するので、自機と他機による外部電源９０の電圧の変化による外部の電子機器への影響を低減できる。
【００５５】
＜第３実施形態＞
図９は、制御部４６によって実行される第３実施形態における制御処理のフローチャートである。第３実施形態のフローチャートにおいて、第２実施形態と同じ処理には、同じステップ番号を付与して説明を省略する。
【００５６】
図９に示すように、制御部４６は、動作要求を受けたと判定すると、当該動作要求が印刷要求か否かを判定する（Ｓ４００）。制御部４６は、当該動作要求が印刷要求でないと判定すると（Ｓ４００：Ｎｏ）、発熱体３８をＯＦＦに維持しつつ（Ｓ４１０）、省エネルギーのモードに復帰させる（Ｓ４２０）。制御部４６は、動作要求に対応した非印刷動作を実行して（Ｓ４３０）、制御処理を終了する。非印刷動作は、例えば、発熱体３８等の大きい電力を必要とする負荷を駆動させない、スキャン動作、ファクシミリの送受信動作である。換言すれば、制御部４６は、他機の存在及び動作に関わらず、大きい電力を必要としない非印刷動作を動作要求に応じて実行する。
【００５７】
制御部４６は、当該動作要求が印刷要求であると判定すると（Ｓ４００：Ｙｅｓ）、上述したステップＳ３２０からＳ３６０の処理を実行する。制御部４６は、電圧値Ｖ０ｘの変動幅が規定値内でないと判定すると（Ｓ３６０：Ｎｏ）、ＲＡＭ５０に格納した電圧値Ｖ０ｘを破棄して（Ｓ３７０）、ステップＳ３２０以降を繰り返す。換言すれば、制御部４６は、他機が動作している間、大きい電力を必要とする発熱体３８を駆動させる印刷動作を実行しない。制御部４６は、電圧値Ｖ０ｘの変動幅が規定値内と判定すると（Ｓ３６０：Ｙｅｓ）、発熱体３８をＯＮにした後（Ｓ４８０）、印刷動作を実行する（Ｓ４９０）。
【００５８】
上述したように第３実施形態の制御部４６は、他機が動作している間は、印刷動作を実行せずに、他機が動作していない状態でのみ印刷動作を実行するので、自機と他機の印刷動作等を同時に実行することによる外部電源９０の電圧の変化による外部の電子機器への影響を低減できる。更に、制御部４６は、他機の存在及び動作に関わらず、非印刷動作を実行するので、外部の電子機器に影響を与えない非印刷動作を迅速に実行できる。
【００５９】
＜第４実施形態＞
図１０は、制御部４６によって実行される第４実施形態における制御処理のフローチャートである。第４実施形態のフローチャートにおいて、第３実施形態と同じ処理には、同じステップ番号を付与して説明を省略する。
【００６０】
図１０に示すように、制御部４６は、格納した電圧値Ｖ０ｘの変動幅が規定値内か否かを判定する（Ｓ３６０）。制御部４６は、電圧値Ｖ０ｘの変動幅が規定値内と判定すると（Ｓ３６０：Ｙｅｓ）、デフォルト制御で発熱体３８をＯＮにして制御する（Ｓ４８０）。制御部４６は、電圧値Ｖ０ｘの変動幅が規定値内でないと判定すると（Ｓ３６０：Ｎｏ）、電圧差ΔＶを算出する（Ｓ５１０）。電圧差ΔＶの算出式は、ステップＳ２３０に示した式と同じである。制御部４６は、電圧差ΔＶに応じて第１対策制御または第２対策制御で発熱体３８をＯＮにして制御する（Ｓ５２０）。尚、デフォルト制御及び対策制御の一例は、上述した図７に示す処理である。
【００６１】
上述したように第４実施形態による制御部４６は、他機が動作している場合でも、同時に印刷動作を実行する。ここで、制御部４６は、デフォルト制御に比べて、外部電源９０の電圧への影響の少ない第１対策制御または第２対策制御に基づいて発熱体３８を制御して、他機の負荷の動作と同時に印刷動作を実行する。これにより、制御部４６は、外部への電子機器への影響を低減しつつ、印刷動作を迅速に実行できる。
【００６２】
上述の実施形態は、例として提示したものであり、本発明の範囲を限定することは意図していない。この新規な実施形態は、その他の様々な形態で実施されることが可能であり、発明の要旨を逸脱しない範囲で、種々の省略、置き換え、変更を行うことも可能である。実施形態および実施形態の変形は、発明の範囲や要旨に含まれると共に、特許請求の範囲に記載された発明とその均等の範囲に含まれる。
【符号の説明】
【００６３】
１０…画像形成装置
１８…印刷部
３０…定着器
３８…発熱体
４０…制御装置
４６…制御部
５６…定着器制御回路
５８…電圧検知回路
９０…外部電源
【先行技術文献】
【特許文献】
【００６４】
【特許文献１】特開平７−２２５５３６号公報
【図１】
2017009851.tif 000003
【図２】
2017009851.tif 000004
【図３】
2017009851.tif 000005
【図４】
2017009851.tif 000006
【図５】
2017009851.tif 000007
【図６】
2017009851.tif 000008
【図７】
2017009851.tif 000009
【図８】
2017009851.tif 000010
【図９】
2017009851.tif 000011
【図１０】
2017009851.tif 000012